(57)【要約】      （修正有）【課題】使用に伴って生ずる汗又は手油によって、滑り状態が生じないような筆記用具又は化粧用具の構成を提供すること。【解決手段】手によって把持する本体の外側表面に、吸湿性のシート２を券着したことに基づき、汗または手油によって、滑り状態が生じないだけではなく、衛生的な使用を可能とする筆記用具、又は化粧用具１。【選択図】図１
2005119151.tif 000002
【特許請求の範囲】
【請求項１】
手によって把持する本体の外側表面に、吸湿性のシートを券着したことによる筆記用具、又は化粧用具。
【請求項２】
シートの裏側において、全面に貼着部を設けるか、又は所定の間隔毎に、貼着部を設けたことを特徴とする請求項１記載の筆記用具、又は化粧用具。
【請求項３】
芳香性物質、又は皮膚荒れ防止用薬剤を吸引したシートを使用していることを特徴とする請求項１記載の筆記用具、又は化粧用具。
【請求項４】
券着方向と略直交する方向に切断用のミシン目を、シートを券着したことによる外側表面における最大の一周長さ以上の間隔毎に設けたことを特徴とする請求項１記載の筆記用具、又は化粧用具。
【請求項５】
シートの外側に、複数個の液状態透過孔を設けた筒状カバーを積層したことを特徴とする請求項１記載の筆記用具、又は化粧用具。
【発明の詳細な説明】
【技術分野】
【０００１】
本発明は、滑り状態が生じないことを可能とする筆記用具、又は化粧用具に関するものである。
【背景技術】
【０００２】
万年筆、ボールペン、シャープペンシルなどの筆記用具、更には化粧ペンなどの化粧用具は、棒状の本体によって構成されているが、手によって、本体の外表面に対し把持した場合に、滑り状態を回避するためにゴムクリッパー等によって把持部分をカバーすることが多い。
【０００３】
しかしながら、発汗性の使用者、又は手指の表面に油の多い使用者が上記ゴムクリッパーを把持して筆記用具又は化粧用具を使用した場合には、汗又は手油によって、ゴムクリッパー表面が塗布された状態となり、却って滑りやすくなるという弊害が生じやすい。
【０００４】
他方、銀行、市役所、病院の受付等の点において、不特定多数の来訪者が、ゴムクリッパーによってカバーしてある筆記具を使用する場合、又は高級のトイレ等において、不特定多数の女性がゴムクリッパーによってカバーしてある化粧用具を使用する場合、汗又は手油が残存するという衛生上好ましくない結果が生ずることがある。
【０００５】
然るに、これまで筆記用具及び化粧用具の分野において、滑り止めを行いながら、汗、手油等が残存しないような構成の筆記用具又は化粧用具は提唱されていなかった。
【発明の開示】
【発明が解決しようとする課題】
【０００６】
本発明は、一方では、本体の外側表面の把持領域において滑りが生ぜずに、他方では、使用した後においても、汗又は手油が残存しないような筆記用具又は化粧用具の構成を提供することを課題としている。
【課題を解決するための手段】
【０００７】
前記課題を解決するため、本発明の構成は、手によって把持する本体の外側表面に、吸湿性のシートを券着したことによる筆記用具、又は化粧用具からなる。
【発明の効果】
【０００８】
本発明においては、吸湿性のシートを本体の外側表面の内、手によって把持する領域に券着しているので、使用者がシートに接触した状態にて使用することになるので、使用に伴い、汗又は手油が当該シートに残存しても、吸湿性シートが汗又は手油を内側に吸湿し、表面に残存しないので、滑らない状態を維持することができる。
【０００９】
しかも、前記シートを必要に応じて順次交換した場合には、汗又は手油等が少ない状態のシートに基づいて、筆記用具又は化粧用具を衛生的に使用することも可能となる。
【発明を実施するための最良の形態】
【００１０】
券着する吸湿性シート２としては、表面において、繊維による隙間が存在する構成であれば良く、天然紙、人造紙の何れも採用可能である。
【００１１】
具体的には、ティッシュペーパー、トイレットペーパー、表面に滑性を生じさせる塗料を塗布していないパルプ等による天然紙、表面にミクロボイドを有する人造紙等を挙げることができる。
【００１２】
このような表面における隙間によって把持を行った際生じた汗、手油は、毛細管現象を介して、吸湿性シート２内に吸収されるので、ゴムクリッパーの場合のように、汗及び手油が残存して滑りやすくなる弊害を避けることができる。
【００１３】
筆記用具、又は化粧用具１に対する券着の構成は特に限定される訳ではないが、最も簡単な券着方法としては、図３に示すように、吸湿性シート２を多重に順次券着し、筒状とした構成を挙げることができる。
【００１４】
但し、通常安定した券着状態を得るために、吸湿性シート２の裏側に貼着部を設け、筆記用具、又は化粧用具１の外側表面、及び吸湿性シート２同士を堅固に貼着することが望ましい。
【００１５】
上記貼着部を、吸湿性シート２の裏側において、全面に設ける場合、又は所定の間隔毎に設ける場合、いずれも採用可能であるが、後者の構成の方が、多少製造コストにおいて有利である。
【００１６】
上記筒状に形成した券着構造の場合、筒状の層は厚い場合（券着回数が多い場合）には、汗、手油等を吸収する容量が大きくなるが、所定以上の厚さの場合には、手による把持に不都合な場合が生じるので、把持のしやすさのバランスを考慮すると良い。
【００１７】
尤も、券着したシート、吸収したシートを所定の使用回数、又は所定の期間に交換することによって、衛生的な使用を考慮する場合には、券着したことによる使用の厚さを薄くすること（回数を少なくすること）による設計も、当然可能である。
【００１８】
吸湿性シート２において、芳香性の物質を浸入させる場合には、使用者は、当該芳香を保持しながら使用することが可能となる。
【００１９】
吸湿性シート２に皮膚が荒れることを防止する薬剤を浸透させた場合には、筆記用具又は化粧用具１の使用に伴なって、手皮の肌における荒れ状態を防止することも可能となる。
【００２０】
以下、実施例に従って説明する。
【実施例１】
【００２１】
実施例１においては、図１に示すように、券着方向と略直交する方向に切断用のミシン目３を、シートを券着したことによる外側表面における最大の一周長さ（具体的には、最も外側の一周の長さ）以上の間隔毎に設けたことを特徴としている。
【００２２】
このような実施例１の構成においては、所定の回数又は期間使用した後に、略一周以上による券着長さを単位として、所定の回数の使用、又は所定の期間の使用の後に、吸湿性シート２を剥ぎ取り、表面に新たな吸湿性シート２を露出させることができる。
【００２３】
尚、吸湿性シート２の裏側において、貼着部分を所定の間隔毎に設ける場合には、当該貼着部分は、ミシン目３の形成部分の領域と一致するか、又はその近傍であることが好ましい。
【００２４】
前記の点は、ミシン目３の部分と、前記周期的に設けられた部分とが一定の間隔を隔てている場合には、ミシン目３によって切断された部分が、ミシン目３を先端として、筆記用具又は化粧用具１の本体から離脱した状態となりやすいことからも明らかである。
【実施例２】
【００２５】
実施例２は、図２に示すように、シートの外側に、複数個の液状態透過孔４１を設けた筒状カバー４を積層したことを特徴としている。
【００２６】
前記複数の透過孔４１を有する外筒は、通常金属製又はプラスチック製の素材を使用しているが、このような外筒の採用によって、筒状に形成した吸湿性シート２につき、特に裏側に貼着部分を設けずとも、外筒と、筆記用具又は化粧用具１の間に堅固に挿入することによって使用可能であり、しかも、必要に応じて、筒状の吸湿性シート２を交換することも可能となる。
【産業上の利用可能性】
【００２７】
このように、吸湿性シートの券着によって、固有の作用効果を発揮している本発明は、筆記用具、及び化粧用具全般において採用可能である。
【図面の簡単な説明】
【００２８】
【図１】実施例１において採用される吸湿性シートの平面図である。
【図２】実施例２の構成を示す側断面図である。
【図３】本発明の基本構成を示しており、（a）は側面図であり、（b）は正面図である。
【符号の説明】
【００２９】
１  筆記用具、又は化粧用具
２  吸湿性シート
３  ミシン目
４  筒状カバー
４１  透過孔
【図１】
2005119151.tif 000003
【手続補正書】
【提出日】平成17年2月21日(2005.2.21)
【手続補正１】
【補正対象書類名】図面
【補正対象項目名】全図
【補正方法】変更
【補正の内容】
【図１】
2005119151.tif 000004
【図２】
2005119151.tif 000005
【図３】
2005119151.tif 000006